(57)【要約】【課題】従来の大型映像装置では、コントローラからスクリーンへの映像データ伝送をフラットケーブルのみで行っているため、伝送距離の制限によりコントローラをスクリーンの中又は近辺に設置しなければならない。そのため、センタシステムとコントローラ間はＬＡＮ用多芯ケーブルで接続されており、センタシステム及びコントローラ内に共にＬＡＮカードを設ける必要がある。【解決手段】センタシステム１００側のコントローラ２００内にＳＤＩ送信回路２０７を、スクリーン３００の中又は近辺にＳＤＩ受信回路２０８を設置し、両部２００、３００間の映像データ伝送をＳＤＩで行う。各送信回路２０７は８ビットの映像データを１０ビットのＳＤＩ伝送フォーマットに変換し、各受信回路２０８は各画像ユニット３０２が受信できるデータフォーマットに変換した上でユニットモジュール３０１単位で映像データを同時に出力する。【選択図】　　　　図２
2004056614.tif 000002
【特許請求の範囲】
【請求項１】
オペレータの指示をコマンドとして発行すると共に、信号源の映像データを出力するセンタシステムと、
前記センタシステムとケーブルで接続され且つ前記センタシステムの近辺に配置されたコントローラと、
その各々はｍ個の画像表示ユニットより成る、ｎ個のユニットモジュールを有するスクリーンと、
前記スクリーンの中にあるいはその近辺に配置されたｊ個のＳＤＩ受信回路とを備え、
前記コントローラは、
１画面全体の映像データを記憶可能な映像メモリと、
前記センタシステムより受信した前記コマンドに基づいて、前記センタシステムから送信されてくる前記映像データの前記映像メモリへの書込み及び読出しを制御する画像制御部と、
前記画像制御部により制御されるｊ個のＳＤＩ送信回路とを備えており、
前記ｊ個のＳＤＩ受信回路の各々は、ケーブルを介して前記ｊ個のＳＤＩ送信回路の対応する一つに接続されており、且つ、ｋ個のユニットモジュールにｋ本のケーブルを介して接続されており、
前記ｊ個のＳＤＩ送信回路の各々は、前記画像制御部からの指令に応じて、前記映像メモリから読み出される前記映像データの内で、対応するＳＤＩ受信回路に接続されている前記ｋ個のユニットモジュールに属する（ｋ×ｍ）個の画像表示ユニット用の映像データを読み込んだ上で、前記（ｋ×ｍ）個の画像表示ユニット用の映像データを、映像同期信号を時分割多重したＳＤＩ伝送フォーマットのデータに変換・出力し、
前記ｊ個のＳＤＩ受信回路の各々は、対応するＳＤＩ送信回路から受信した前記ＳＤＩ伝送フォーマットのデータから前記映像同期信号及び映像データを抽出し、前記映像同期信号に同期させながら、抽出した映像データを前記（ｋ×ｍ）個の画像表示ユニットにとって受信可能なデータフォーマットの映像データに変換した上で、変換後の（ｋ×ｍ）個の画像表示ユニットに割り当てられるべき映像データをユニットモジュール単位で前記スクリーン側へ送信し、
前記整数ｎ、ｊ及びｋ間には、
ｎ＝ｊ×ｋ及びｋ≦ｎ／２なる関係が成立することを特徴とする、
大型映像装置。
【請求項２】
請求項１記載の大型映像装置であって、
前記ｊ個のＳＤＩ送信回路の各々とそれに対応するＳＤＩ受信回路との間に、光送信回路及び前記光送信回路と光ケーブルで結ばれた光受信回路を介在させたことを特徴とする、
大型映像装置。
【請求項３】
コントローラ内に配置されたＳＤＩ送信回路と、
その各々はｍ個の画像表示ユニットより成る、ｎ個のユニットモジュールを有するスクリーンと、
前記スクリーンの中にあるいはその近辺に配置されており、ケーブルを介して前記ＳＤＩ送信回路に接続されていると共に、前記ｎ個のユニットモジュール中ｋ個（ｋ＜ｎ）のユニットモジュールにｋ本のケーブルを介して接続されているＳＤＩ受信回路とを備え、
前記ＳＤＩ送信回路は、前記ＳＤＩ受信回路に接続されている前記ｋ個のユニットモジュールに属する（ｋ×ｍ）個の画像表示ユニット用の映像データを、映像同期信号を時分割多重したＳＤＩ伝送フォーマットのデータに変換・出力し、前記ＳＤＩ受信回路は、前記ＳＤＩ送信回路から受信した前記ＳＤＩ伝送フォーマットのデータから前記映像同期信号及び映像データを抽出し、前記映像同期信号に同期させながら、抽出した映像データを前記（ｋ×ｍ）個の画像表示ユニットにとって受信可能なデータフォーマットの映像データに変換した上で、変換後の（ｋ×ｍ）個の画像表示ユニットに割り当てられるべき映像データを前記スクリーン側へ送信することを特徴とする、
大型映像装置。
【発明の詳細な説明】
【０００１】
【発明の属する技術分野】
この発明は、センタシステムとコントローラとスクリーンとを有する大型映像装置に関するものである。特に、本発明は、コントローラとスクリーン間の映像データ伝送技術に関する。
【０００２】
【従来の技術】
図９は、本願出願人の社内製品（ｎｏ　ｐｒｉｏｒ　ａｒｔ）に係る従来の大型映像装置の構成を示すブロック図である。図９において、１００はセンタシステム、１０１〜１０３は信号源、１０４はオペレータ制御部、１０５はセンタ通信制御部、１０６はセンタＬＡＮカード、２００はコントローラ、２０１はデコーダ、２０２は画像制御部、２０３はローカル通信制御部、２０４は映像切換部、２０５は映像メモリ、２０６はコマンド解析部、２１１はローカルＬＡＮカード、２１２は映像データ送出回路、３００はスクリーン、３０１はユニットモジュール、３０２は画像表示ユニット、Ｌ１は同軸ケーブル、Ｌ４はフラットケーブル、Ｌ５はＬＡＮ用多芯ケーブルである。
【０００３】
信号源１０１〜１０３と、オペレータ制御部１０４と、センタ通信制御部１０５と、センタＬＡＮカード１０６とは、センタシステム１００内に設置されている。又、デコーダ２０１と、画像制御部２０２と、ローカル通信制御部２０３と、映像切換部２０４と、映像メモリ２０５と、コマンド解析部２０６と、ローカルＬＡＮカード２１１と、映像データ送出回路２１２とは、コントローラ２００内に設置されている。
【０００４】
次に、本装置の動作について記載する。先ず、センタシステム１００において、オペレータ制御部１０４はオペレータの指示を受け付け、その指示は、センタ通信制御部１０５により、コントローラ２００に対するコマンドとして発行される。発行されたコマンドはセンタＬＡＮカード１０６に出力され、センタＬＡＮカード１０６は、ＬＡＮ用多芯ケーブルＬ５で接続されているコントローラ２００内のローカルＬＡＮカード２１１へ、上記コマンドを含むデータを送信する。
【０００５】
ローカルＬＡＮカード２１１は、受信したデータをローカル通信制御部２０３に渡し、ローカル通信制御部２０３は受信データから上記コマンドのみを抽出する。ローカル通信制御部２０３で抽出されたコマンドはコマンド解析部２０６に送られ、コマンド解析部２０６はコマンド解析を行う。コマンド解析後、コマンド解析部２０６は、コマンドに合った動作を行う様に指示する指令信号を、画像制御部２０２に送る。
【０００６】
他方、映像データは、センタシステム１００内の信号源１０１〜１０３のそれぞれから、同軸ケーブルＬ１で接続されているコントローラ２００内のデコーダ２０１へ送信される。デコーダ２０１は、受信したアナログの映像データをデジタル化し、デジタル化した映像データを映像切換部２０４に出力する。画像制御部２０２は、コマンド解析部２０６の指示に合う動作を行う様に、映像切換部２０４への映像切換指示と、映像メモリ２０５への１フレーム分の映像データの書込み指示とを行う。同時に、画像制御部２０２は、映像メモリ２０５に対して、１フレーム分の映像データの読出し指示を行う。その結果、映像メモリ２０５より読み出された映像データは、映像データ送出回路２１２に送られる。映像データ送出回路２１２は、１フレーム分の映像データをユニットモジュール３０１単位に分割した上で、分割後の各ユニットモジュール３０１分の画像データを、フラットケーブルＬ４で接続されたスクリーン３００内の対応するユニットモジュール３０１へ、送信する。
【０００７】
【発明が解決しようとする課題】
図９に示す様に、従来の大型映像装置において採用されている、コントローラ２００とスクリーン３００間の映像データ伝送の方式は、水平方向に配列した画像表示ユニット３０２の数分に相当する多数のフラットケーブルＬ４のみを用いた、通信規格ＲＳ４２２によるデータ伝送である。このために伝送距離に制限があり、コントローラ２００をスクリーン３００の中あるいはその近辺に設置せざるを得なくなる。
【０００８】
この様に、コントローラ２００をスクリーン３００の中、若しくはその近辺に設置すると、センタシステム１００とコントローラ２００間の距離が大きくなってしまい、距離の問題上、センタシステム１００内のセンタ通信制御部１０５とコントローラ２００内のローカル通信制御部２０３との接続には、ＬＡＮを利用せざるを得なくなる。そのため、センタシステム１００内及びコントローラ２００内のそれぞれに、センタＬＡＮカード１０６及びローカルＬＡＮカード２１１を取り付けて、それぞれのＬＡＮカードをＬＡＮ用多芯ケーブルＬ５で接続する必要があった。この様なＬＡＮ接続は、例えば競艇場内における大型映像装置における様に、スクリーンがセンタシステムから遠方に配置されるケースでは、好ましいものではないと、言える。この様な課題に対処するためには、むしろ、コントローラをセンタシステム側に採り込むことが求められる。
【０００９】
加えて、コントローラ２００内の映像データ送出回路２１２とスクリーン３００との接続は多数のフラットケーブルＬ４で行われているために、多数のフラットケーブルＬ４を映像データ送出回路２１２に繋げる必要がある。このため、多数のフラットケーブルＬ４が１ヶ所に集中し、各フラットケーブルＬ４を引き回す長さが比較的に増大する結果、ケーブルの嵩張りがケーブル配線を難航させる原因となっている。しかも、複雑なフラットケーブルＬ４の引き回しに起因して、コントローラ２００−スクリーン３００間のデータ伝送速度もまた否応無く低下せざるを得ないと言う問題点にも直面している。この様なケーブルの嵩張りと言う問題点は、スクリーン３００のサイズが大きくなる程に、一層顕著となる。
【００１０】
この発明は上記の様な課題を解決するためになされたものであり、その第１次的な目的とするところは、伝送距離の制限を大幅に緩和して、センタシステムとコントローラ間のＬＡＮ接続を不要とし、しかも、コントローラとスクリーン間のフラットケーブルの嵩張りを飛躍的に低減化してケーブルさばきをより容易化し、以って、コントローラからスクリーンへの映像データを少ない伝送ケーブル数で高速且つ安価に行える様にすることにある。
【００１１】
また、本発明の第２次的な目的は、コントローラとスクリーン間の距離をより一層延長可能とする点にある。
【００１２】
【課題を解決するための手段】
請求項１記載の発明は、大型映像装置であって、オペレータの指示をコマンドとして発行すると共に、信号源の映像データを出力するセンタシステムと、前記センタシステムとケーブルで接続され且つ前記センタシステムの近辺に配置されたコントローラと、その各々はｍ個の画像表示ユニットより成る、ｎ個のユニットモジュールを有するスクリーンと、前記スクリーンの中にあるいはその近辺に配置されたｊ個のＳＤＩ受信回路とを備え、前記コントローラは、１画面全体の映像データを記憶可能な映像メモリと、前記センタシステムより受信した前記コマンドに基づいて、前記センタシステムから送信されてくる前記映像データの前記映像メモリへの書込み及び読出しを制御する画像制御部と、前記画像制御部により制御されるｊ個のＳＤＩ送信回路とを備えており、前記ｊ個のＳＤＩ受信回路の各々は、ケーブルを介して前記ｊ個のＳＤＩ送信回路の対応する一つに接続されており、且つ、ｋ個のユニットモジュールにｋ本のケーブルを介して接続されており、前記ｊ個のＳＤＩ送信回路の各々は、前記画像制御部からの指令に応じて、前記映像メモリから読み出される前記映像データの内で、対応するＳＤＩ受信回路に接続されている前記ｋ個のユニットモジュールに属する（ｋ×ｍ）個の画像表示ユニット用の映像データを読み込んだ上で、前記（ｋ×ｍ）個の画像表示ユニット用の映像データを、映像同期信号を時分割多重したＳＤＩ伝送フォーマットのデータに変換・出力し、前記ｊ個のＳＤＩ受信回路の各々は、対応するＳＤＩ送信回路から受信した前記ＳＤＩ伝送フォーマットのデータから前記映像同期信号及び映像データを抽出し、前記映像同期信号に同期させながら、抽出した映像データを前記（ｋ×ｍ）個の画像表示ユニットにとって受信可能なデータフォーマットの映像データに変換した上で、変換後の（ｋ×ｍ）個の画像表示ユニットに割り当てられるべき映像データをユニットモジュール単位で前記スクリーン側へ送信し、前記整数ｎ、ｊ及びｋ間には、ｎ＝ｊ×ｋ及びｋ≦ｎ／２なる関係が成立することを特徴とする。
【００１３】
請求項２記載の発明は、請求項１記載の大型映像装置であって、前記ｊ個のＳＤＩ送信回路の各々とそれに対応するＳＤＩ受信回路との間に、光送信回路及び前記光送信回路と光ケーブルで結ばれた光受信回路を介在させたことを特徴とする。
【００１４】
請求項３記載の発明は、大型映像装置であって、コントローラ内に配置されたＳＤＩ送信回路と、その各々はｍ個の画像表示ユニットより成る、ｎ個のユニットモジュールを有するスクリーンと、前記スクリーンの中にあるいはその近辺に配置されており、ケーブルを介して前記ＳＤＩ送信回路に接続されていると共に、前記ｎ個のユニットモジュール中ｋ個（ｋ＜ｎ）のユニットモジュールにｋ本のケーブルを介して接続されているＳＤＩ受信回路とを備え、前記ＳＤＩ送信回路は、前記ＳＤＩ受信回路に接続されている前記ｋ個のユニットモジュールに属する（ｋ×ｍ）個の画像表示ユニット用の映像データを、映像同期信号を時分割多重したＳＤＩ伝送フォーマットのデータに変換・出力し、前記ＳＤＩ受信回路は、前記ＳＤＩ送信回路から受信した前記ＳＤＩ伝送フォーマットのデータから前記映像同期信号及び映像データを抽出し、前記映像同期信号に同期させながら、抽出した映像データを前記（ｋ×ｍ）個の画像表示ユニットにとって受信可能なデータフォーマットの映像データに変換した上で、変換後の（ｋ×ｍ）個の画像表示ユニットに割り当てられるべき映像データを前記スクリーン側へ送信することを特徴とする。
【００１５】
【発明の実施の形態】
本実施の形態の特徴点（要旨）は、コントローラとスクリーン間の映像データ伝送をＳＤＩ（Ｓｅｒｉａｌ　Ｄｉｇｉｔａｌ　Ｉｎｔｅｒｆａｃｅ：シリアル　ディジタル　インターフェース）で行うものである。この様な構成により、コントローラとスクリーン間の伝送距離の制限を大幅に緩和してコントローラをスクリーンから遠方に離し、コントローラをセンタシステム側（「側」とは、その近辺と言う意味）に配置可能とすると共に（その結果、ＬＡＮの構築を不要とする）、スクリーン内あるいはスクリーン側における多数のフラットケーブルの配線に関して、フラットケーブルが一箇所に集中しない様に改善することが出来る。
【００１６】
この様な特徴点を概略的に図示したものが、図１である。図１において、（Ａ）は本実施の形態の上記特徴点を示しており、他方、（Ｂ）は既述した従来装置（図９）の構成のポイントを比較用に示している。図１の（Ａ）において、コントローラ内のＳＤＩドライバとは後述する複数のＳＤＩ送信回路の総称であり、同様に、ＳＤＩレシーバとは後述する複数のＳＤＩ受信回路の総称である。尚、図１の（Ａ）においては、便宜上、ＳＤＩレシーバ（ＳＤＩ受信回路）はスクリーン内に配置されてはいるが、これに限定されるものではなく、同レシーバをスクリーンの近辺に配置しても良い。後述する実施の形態１の図２に示す構成例においては、後者の例（ＳＤＩレシーバ（ｊ個のＳＤＩ受信回路２０８）をスクリーン側に配置するもの）が採用されている。
【００１７】
又、コントローラとスクリーンの間のＳＤＩ伝送用ケーブルとしては、同軸ケーブルの他に、光送信機及び光受信機を含む光ケーブルを使用することも可能であり、この応用例については後述する実施の形態２において説明する。
【００１８】
以下、この発明の実施の形態１及び２を図面に基づいて詳述する。
【００１９】
（実施の形態１）
図２は、本実施の形態に係る大型映像装置の構成を示すブロック図である。図２に示す様に、本大型映像装置は、大別して、（１）オペレータの指示をコマンドとして発行すると共に、信号源の映像データを出力するセンタシステム１００と、（２）センタシステム１００と通信ケーブルＬ２及び同軸ケーブルＬ１で接続され且つセンタシステム１００の近辺（センタシステム側）に配置されたコントローラ２００と、（３）その各々は縦方向に配列したｍ個の画像表示ユニット３０２より成る、水平方向に配列したｎ個のユニットモジュール３０１を有するスクリーン３００と、（４）スクリーン３００の近辺（スクリーン側）に配置されたｊ個のＳＤＩ受信回路２０８とから成る。特に、コントローラ２００は、その中核要素として、（２−１）１画面全体の映像データを記憶可能な映像メモリ（フレームメモリ２個分を有する）２０５と、（２−２）センタシステム１００より受信したコマンドに基づいて、センタシステム１００から送信されてくる映像データの映像メモリ２０５への書込み及び読出し、並びに、後述する各ＳＤＩ送信回路２０７の動作をそれぞれ制御する画像制御部２０２と、（２−３）画像制御部２０２により制御されるｊ個のＳＤＩ送信回路２０７とを備えている。
【００２０】
ここで、ｊ個のＳＤＩ受信回路２０８の各々は、同軸ケーブル（単にケーブルとも称す）Ｌ１を介してｊ個のＳＤＩ送信回路２０７の対応する一つに接続されており、しかも、ｋ個のユニットモジュールにｋ本のフラットケーブルＬ４を介して接続されている。尚、図２では、一例として、ｋ＝４のケースが描かれている。そして、各ＳＤＩ送信回路２０７は、画像制御部２０２からの指令信号に応じて、映像メモリ２０５から読み出される映像データの内で、対応するＳＤＩ受信回路２０８に接続されているｋ（＝４）個のユニットモジュール３０１に属する（４×ｍ）個の画像表示ユニット３０２用の映像データを全て読み込んだ上で、これらの（４×ｍ）個の画像表示ユニット用の映像データ（８ビットデータ）を、映像同期信号を時分割多重して成るＳＤＩ伝送フォーマットのデータ（１０ビットデータ）に変換した上で出力し、各ＳＤＩ受信回路２０８は、対応するＳＤＩ送信回路２０７から受信した上記ＳＤＩ伝送フォーマットのデータ（１０ビットデータ）から映像同期信号及び映像データを抽出し、映像同期信号に同期させながら、抽出後の映像データ（１０ビットデータ）を（４×ｍ）個の画像表示ユニット３０２にとって受信可能なデータフォーマットの映像データ（８ビットデータ）に変換した上で、変換後の（４×ｍ）個の画像表示ユニット３０２に割り当てられるべき映像データを、ユニットモジュール単位で、スクリーン３００内の画像表示ユニット３０２側へ送信する。
【００２１】
この場合、ｎ＝ｊ×ｋ及びｋ≦ｎ／２なる関係が成立する。例えば、典型的な大型スクリーンでは、ｎは２０〜３０であり、図９の場合には２０〜３０本のフラットケーブルＬ４が映像データ送出回路２１２の端子一箇所に集中的に配線されていたが、図２の場合では、４本のフラットケーブルＬ４をそれらに対応する一つのＳＤＩ受信回路２０８の端子に集中的に配線すれば足りる。そのため、フラットケーブルＬ４の嵩張りが格段に低減される。より具体的な構成及び動作については、次の通りである。
【００２２】
図２において、１０１〜１０３は信号源（それぞれチューナ、ＶＴＲ、カメラに該当）、１０４はオペレータ制御部、１０５はセンタ通信制御部、２０１はデコーダ、２０２は画像制御部、２０３はローカル通信制御部、２０４は映像切換部、２０５は映像メモリ、２０６はコマンド解析部、２０７はＳＤＩ送信回路、２０８はＳＤＩ受信回路、Ｌ１は同軸ケーブル、Ｌ２は通信ケーブル、Ｌ４はフラットケーブルである。信号源１０１〜１０３と、オペレータ制御部１０４と、センタ通信制御部１０５とはセンタシステム１００内にあり、デコーダ２０１と、画像制御部２０２と、ローカル通信制御部２０３と、映像切換部２０４と、映像メモリ２０５と、コマンド解析部２０６と、ｊ個のＳＤＩ送信回路２０７とは、コントローラ２００内にある。そして、センタシステム１００内の信号源１０〜１０３とコントローラ２００内のデコーダ２０１とは同軸ケーブルＬ１で接続されており、センタシステム１００内のセンタ通信制御部１０５とコントローラ２００内のローカル通信制御部２０３とは通信ケーブルＬ２で接続されており、コントローラ２００内のｊ個のＳＤＩ送信回路２０７と対応するＳＤＩ受信回路２０８とは同軸ケーブルＬ１で接続されており、ＳＤＩ受信回路２０８とスクリーン３００内のｍ個の画像表示ユニット３０２とは、４本中の１本のフラットケーブルＬ４で接続されている。
【００２３】
又、図３は、スクリーン３００、各ユニットモジュール３０１、各画像表示ユニット３０２、及びＬＥＤモジュール３０３の関係を示している。図３に示す様に、一つのＳＤＩ受信回路２０８に接続されている４個のユニットモジュール３０１を、それぞれ記号３０１Ａ，３０１Ｂ，３０１Ｃ，３０１Ｄを付して表す。
【００２４】
又、図４は、図３における各画像表示ユニット３０２の内部構成を示すブロック図である。図４に示す様に、同ユニット３０２は、各部３１０、３１１、３１２、３１３、３１４、３１５を有する。ここで、ユニット通信部３１１は、当該画像表示ユニット３０２が属するユニットモジュール３０１に含まれているｍ個の画像表示ユニットの内で、何番目の画像表示ユニットに当るかを示すユニットのアドレス情報（これをラインアドレスと称す）（０，１，２，…，ｍ−１）を保有しており、ユニット制御部３１２が当該画像表示ユニット３０２に関する映像データをユニットメモリ３１４内に採り込むに際して、このアドレス情報をユニット制御部３１２に送信する。
【００２５】
次に、本装置の動作について記載する。先ず、センタシステム１００において、オペレータ制御部１０４はオペレータの指示を受け付け、センタ通信制御部１０５はそのオペレータ指示をコントローラ２００に対するコマンドとして発行する。発行されたコマンドは、通信ケーブルＬ２を介して、コントローラ２００内のローカル通信制御部２０３へ送信され、ローカル通信制御部２０３は受信信号の中から上記コマンドのみを抽出する。ローカル通信制御部２０３で抽出されたコマンドはコマンド解析部２０６に送られ、コマンド解析部２０６はコマンド解析を行う。コマンド解析終了後、コマンド解析部２０６は、コマンドに合った動作を行う様に指示する指令信号を、画像制御部２０２に送る。
【００２６】
他方、映像データは、センタシステム１００内の信号源１０１〜１０３のそれぞれから、同軸ケーブルＬ１を介して、コントローラ２００内のデコーダ２０１へ送信される。デコーダ２０１は、受信したアナログの映像データをデジタル化し、映像切換部２０４にデジタル化した映像データを出力する。
【００２７】
次に、画像制御部２０２は、コマンド解析部２０６からの指示に合う動作を行う様に、映像切換部２０４における映像切換動作の実行指示と、映像切替処理後における１フレーム分の映像データの映像メモリ２０５内への書込み指示を行う。又、同時に、画像制御部２０２は、映像メモリ２０５に対して、既に書込まれている１フレーム分の映像データの読み出し指示を行うと共に、各ＳＤＩ送信回路２０７に対して順次に動作指令信号を出力する。ここで、映像切換部２０４は、画像制御部２０２の指令内容に応じて、３つの信号源１０１−１０３から得られた３種類の映像データの重ね合わせ処理を行う部分である。
【００２８】
各ＳＤＩ送信回路２０７は、画像制御部２０２から送信されて来る指令クロックに応じて、映像メモリ２０５より読み出されて送信されて来る１フレーム分の映像データの中から、同回路２０７に接続されたＳＤＩ受信回路２０８に接続されている（４×ｍ）個の画像表示ユニット３０２に関する全ての映像データを取り込み、取り込んだ後の各映像データを後述するＳＤＩ伝送フォーマットに変換した上で、変換後の各ＳＤＩ伝送フォーマットデータを、同軸ケーブルＬ１を介して、対応するＳＤＩ受信回路２０８にＳＤＩ送信する。
【００２９】
ＳＤＩ伝送の受信を担う各ＳＤＩ受信回路２０８は、シリアルに送信されて来る、ＳＤＩ伝送フォーマットに変換された各映像データから、映像同期信号と１０ビットの映像データとを抽出し、抽出した映像データを映像同期信号に同期させながら、スクリーン３００内の画像表示ユニット３０２が受信出来るデータフォーマットに変換した上で、フラットケーブルＬ４で接続された４個のユニットモジュール３０１に対して、ユニットモジュール単位で、変換後の８ビット映像データの送信を並行して行う。尚、ユニットモジュール単位のデータ送信に代えて、各ＳＤＩ受信回路２０８は、（４×ｍ）個の画像表示ユニット３０２に対して、順次に送信することとしても良い。
【００３０】
以上の通り、本実施の形態では、図９の従来技術とは違い、センタシステム１００内のセンタ通信制御部１０５とコントローラ２００内のローカル通信制御部２０３との間の距離が短く、従ってＬＡＮ接続が不要となるため、センタシステム１００内及びコントローラ２００内の何れに対してもＬＡＮカードが不要であり、ＬＡＮ関連の障害に関しては全くこれを考慮しなくて済むため、装置の信頼性は飛躍的に向上し得る。
【００３１】
加えて、コントローラ２００内の各ＳＤＩ送信回路２０７から対応するＳＤＩ受信回路２０８迄の配線に関しては、ＳＤＩ受信回路２０７の数量分（ｊ本）の同軸ケーブルＬ１のみを設ければ良く、コントローラとスクリーン間のデータ伝送速度は、コントローラとスクリーン間がフラットケーブルのみで配線されていた図９の装置の場合と比較して、飛躍的に向上する。具体的には、図９の装置においてはデータ伝送速度は数Ｍｂｐｓ程度であったのが、図２の装置においては、データ伝送速度は少なくとも２７０Ｍｂｐｓ程度にまで達するものと、評価される。
【００３２】
しかも、本装置においては、１つのＳＤＩ受信回路２０８からスクリーン３００内のユニットモジュール３０１への配線に関しては、数本（ここでは４本）のフラットケーブルＬ４の配線のみで事足りるため、フラットケーブルの嵩張りによる配線の困難さを大幅に緩和出来ると言う重要な利点が得られる。
【００３３】
以下では、ＳＤＩ送信回路２０７の回路図及びＳＤＩ受信回路２０８の回路図を用いながら、コントローラ２００とスクリーン３００間でのみ行われるＳＤＩ伝送の動作について詳述する。
【００３４】
ここで、図５は、ＳＤＩ伝送の送信側及び受信側における機能・動作手順の概要を表したフローチャートである。又、図６は、ＳＤＩ送信回路２０７の内部ブロック図である。更に、図７は、ＳＤＩ受信回路２０８の内部ブロック図である。
【００３５】
ＳＤＩ伝送では、ＳＤＩドライバＩＣ２２２への１０ビットの入力データの内で、‘００００００００００’〜‘００００００００１１’及び‘１１１１１１１１００’〜‘１１１１１１１１１１’は、予約語であるため、これらを映像データとして使用することは出来ず、これらのパターンを使用しない伝送を行う必要がある。
【００３６】
図６において、ＳＤＩ送信制御部２２４は、図２の画像制御部２０２からの第１同期クロックＶｓｙｎｃ．の入力に応じて、８ビットデータ入力回路２２０に対して、映像データを入力する様に指示するクロック信号を発する。しかも、上記クロック信号の出力と同時に、ＳＤＩ送信制御部２２４は、両メモリ２２１Ａ，２２１Ｂの内で記憶領域が空いている方、即ち、１フレーム分前の映像データが書込まれていない方のメモリ（ここの説明では、便宜上、当該メモリはメモリ２２１Ａであると仮定する）に対しても、８ビットデータ入力回路２２０が受信した映像データの書込み処理を開始する様に指令する書込みクロック信号を出力する。その結果、８ビットデータ入力回路２２０は、上記第１同期クロックＶｓｙｎｃ．の入力期間中においてのみ、ＳＤＩ送信制御部２２４からの指示に従い、前段回路である映像メモリ２０５から送信されて来る８ビット映像データを取り込み、入力された８ビット映像データは、一方のメモリ２２１Ａに書込まれる。従って、一方のメモリ２２１Ａ内に取り込まれた８ビット映像データとは、当該ＳＤＩ送信回路２０７に接続されたＳＤＩ受信回路２０８に接続されている（４×ｍ）個の画像表示ユニット３０２に関する全ての８ビット映像データである。
【００３７】
しかも、送信タイミング生成部２２３は、上記第１同期クロックＶｓｙｎｃ．の入力に応じて、第１同期クロックＶｓｙｎｃ．に同期した第２同期クロック（以下、映像同期信号と称す）を生成して、この映像同期信号をＳＤＩ送信制御部２２４に出力する。そして、ＳＤＩ送信制御部２２４は、受信した上記映像同期信号に応じて、一方のメモリ２２１Ａへの上記書込み動作期間中に、他方のメモリ２２１Ｂ（１フレーム分だけ前の映像データが既に書込まれているメモリ）に対して、（４×ｍ）個の画像表示ユニット３０２に関する全ての８ビット映像データを順次に読み出す様に指示する読出しクロック信号を出力する。同時に、ＳＤＩ送信制御部２２４は、上記映像同期信号に応じて、１０ビット化演算処理の開始指令クロックを１０ビット化演算回路２２１に出力すると共に、上記映像同期信号をＳＤＩドライバＩＣに出力する。その結果、上記読出しクロック信号の指令に応じて、他方のメモリ２２１Ｂは、記憶している１フレーム分だけ前の８ビット映像データを順次に読み出して、読み出された８ビット映像データを１０ビット化演算回路２２１へ送信する。１０ビット化演算回路２２１は、ＳＤＩ送信制御部２２４からのクロック信号の指示に応じて、順次に入力する各８ビット映像送信データの上位に‘０１’もしくは‘１０’の２ビットパターンを付加して１０ビットの映像送信データを生成し、この１０ビット映像送信データをＳＤＩドライバＩＣ２２２へ出力する。そして、ＳＤＩドライバＩＣ２２２は、ＳＤＩ送信制御部２２４から送信されて来る、映像データと映像同期信号との入力切換指示に応じて、１０ビット映像送信データの中に映像同期信号を時分割多重する処理を行い、得られた、映像同期信号が時分割多重された１０ビットのＳＤＩ伝送フォーマットデータを、同軸ケーブルＬ１を介して、対応するＳＤＩ受信回路２０８に出力する。
【００３８】
図７のＳＤＩ受信回路２０８においては、先ず、ＳＤＩレシーバＩＣ２２５は、対応するＳＤＩ送信回路２０７よりシリアルに送信されて来る各１０ビットのＳＤＩ伝送フォーマットデータを、１０ビットの受信映像データと映像同期信号とに分ける処理を実行する。そして、同回路２２５は、分離されたデータの内で、１０ビットの受信映像データを８ビット化演算回路２２６に送信し、映像同期信号をＳＤＩ受信制御部２２８に出力する。ＳＤＩ受信制御部２２８は、映像同期信号を受けて、８ビット化演算処理の開始／データ出力を指令するクロック信号を８ビット化演算回路２２６に出力すると共に、映像データの書込みを指令する書込みクロック信号を、両メモリ２２９、２３０の内で１フレーム分前の８ビット映像データが書込まれていない方のメモリ（ここでは、便宜上、その様なメモリはメモリ２２９であると仮定する）に出力し、更に、映像データの読出しを指令する読出しクロック信号を他方のメモリ２３０に対して出力する。加えて、同回路２２８は、映像同期信号に同期して、出力動作処理の開始（出力タイミングの指示）及び受信映像データの有効／無効を指令するクロック信号を、４個の８ビットデータ出力回路２２７Ａ−２２７Ｄに出力する。その結果、８ビット化演算回路２２６は、ＳＤＩ受信制御部２２８の指示に応じて、入力された１０ビットの受信映像データから、その上位２ビットを取り除いて、８ビットの映像データに戻す演算処理を行い、得られた８ビットの映像データをメモリ２２９に出力する。ここで、両メモリ２２９、２３０は共に、当該ＳＤＩ受信回路２０８にフラットケーブルＬ４を介して接続された４個のユニットモジュール３０１Ａ−３０１Ｄに対応して、各ユニットモジュール３０１用の全８ビット映像データを格納し得るだけの４個の記憶領域Ａ，Ｂ，Ｃ，Ｄを有している。その結果、一方のメモリ２２９は、ＳＤＩ受信制御部２２８からの書込みクロック信号のタイミングに応じて、送信されて来る各８ビット映像データを、対応する記憶領域Ａ，Ｂ，Ｃ，Ｄに格納する。この書込み処理と並行して、他方のメモリ２３０は、ＳＤＩ受信制御部２２８からの読出しクロック信号のタイミングに応じて、各記憶領域Ａ，Ｂ，Ｃ，Ｄに格納されている映像データを対応する８ビットデータ出力回路２２７Ａ−２２７Ｄへ出力する。そして、各８ビットデータ出力回路２２７Ａ−２２７Ｄは、ＳＤＩ受信制御部２２８からの指示に応じて、通信規格ＲＳ４２２に基づいて入力映像データに対して既述したラインアドレスに関するデータを付した上で、自担当のユニットモジュール３０１Ａ−３０１Ｄへ、（４×ｍ）個の画像表示ユニット３０２に関する映像データを、送出する。
【００３９】
通常ＳＤＩで伝送する映像データは、黒レベルが‘０００１００００００’、白レベルが‘１１１０１０１１００’　で、この範囲で映像データを伝送するので、８ビットの映像データを伝送する場合、‘００００００００’〜‘１１１１１１１１’のパターンを、‘０００１００００００’〜‘１１１０１０１１００’パターンに埋め込む必要がある。図６及び図７に示す様な簡単な構成の回路によって、８ビットの映像データ‘００００００００’〜‘１１１１１１１１’のパターンを‘０００１００００００’〜‘１１１０１０１１００’のパターンに埋め込み、ＳＤＩ伝送を実現可能としている。
【００４０】
図４の各画像表示ユニット３０２においては、ユニット制御部３１２は、ユニット通信部３１１より与えられるラインアドレスに基づき、ユニットデータ受信部３１０を制御し、その結果、ユニットデータ受信部３１０は、対応するＳＤＩ受信回路２０８から送られて来る８ビット映像データの内で、当該ラインアドレスが付された映像データを、即ち、当該画像表示ユニット３０２に割り当てられた映像データのみを受信して取り込む。そして、ユニットデータ受信部３１０で取り込んだ映像データは、ユニット制御部３１２に送られ、ユニット制御部３１２は、受信した映像データに対して、発光素子３１５の特性に合わせた演算を行い、演算処理後のデータをユニットメモリ３１４の一方に保管する。尚、ユニットメモリ３１４もまた、１フレーム分前のデータを既に記憶するメモリ（例えばメモリ３１４Ａ）と、１フレーム分後の新たなデータを書込むためのメモリ（例えばメモリ３１４Ｂ）とを有する。ユニット制御部３１２は、一方のユニットメモリ３１４への演算後の映像データ保管と同時に、１フレーム分前のデータを既に記憶している他方のユニットメモリ３１４から映像データの読み出しを行い、読み出したデータに基づいて生成した、発光素子３１５を光らせるための発光データを、ユニット駆動部３１３に送信する。ユニット駆動部３１３は、ユニット制御部３１２から送られてくる発光データに応じて、発光素子３１５を駆動して発光させる。
【００４１】
尚、特開昭６０−１５８７７８号公報、特開昭６１−１７７０７８号公報、及び特開２０００−２００１１号公報に記載の先行技術においては、デジタル化されたシリアルの映像データを、光ケーブルを用いて、スクリーン内の画像表示ユニットに直接伝送すると言う構成が提案されてはいる。しかしながら、本実施の形態の主題においては、ＳＤＩ送信回路２０７とＳＤＩ受信回路２０８との間のみにおいて、映像データをシリアルに伝送させる技術を提案しているのであり、この点で本実施の形態の主題は上記先行文献の技術とは本質的に相違している。しかも、上記先行文献の何れにおいても、既述した機能を備える本実施の形態のＳＤＩ送信回路２０７及びＳＤＩ受信回路２０８は、積極的に及び消極的にも何ら提案されてはいないのである。ここで留意すべき点とは、本実施の形態の基本的なねらい（着眼点）は、大型映像装置内（特にスクリーン３００側）でのフラットケーブルＬ４のさばきを容易に行える様にするための回路構成を提案することにある。
【００４２】
（実施の形態２）
実施の形態１では、コントローラ２００内にＳＤＩ送信回路２０７を設けると共に、ＳＤＩ受信回路２０８をスクリーン３００内又はスクリーン３００の近辺に設けて、両回路２０７、２０８を同軸ケーブルＬ１で互いに接続した上で、コントローラ２００とスクリーン３００間の映像データの伝送をＳＤＩ方式で行うことについて述べた。本実施の形態では、この様な実施の形態１における特徴的構成を踏襲しつつ、コントローラ２００とスクリーン３００間の距離を更に延長可能にすると言う観点から、ｊ個のＳＤＩ送信回路２０７の各々とそれに対応するＳＤＩ受信回路２０８との間に、光送信回路及び当該光送信回路と光ケーブルで結ばれた光受信回路を介在させることとしている。以下、図面を参照しつつ、本実施の形態の特徴を具体的に記載する。
【００４３】
図８は、実施の形態２に係る大型映像装置の構成例を示すブロック図である。図８において、図２中の参照符号と同一のものは同一の構成要素に相当している。図８に示す様に、コントローラ２００内の各ＳＤＩ送信回路２０７と対応するＳＤＩ受信回路２０８との間に光送信回路（光送信器）２０９と光受信回路（光受信器）２１０とが設けられており、各ＳＤＩ送信回路２０７と対応する光送信回路２０９、及び、各光受信回路２１０と対応するＳＤＩ受信回路２０８は、共に同軸ケーブルＬ１で接続されていると共に、各光送回路２０９と対応する光受回路２１０とは光ケーブルＬ３で互いに接続されている。
【００４４】
この様な光ファイバを利用したデータ伝送とすることにより、ジッタやノイズ等の発生を低減してデータの乱れを防止することが出来る上に、データ伝送速度をも向上させることが出来るので、コントローラ２００とスクリーン３００との間の距離を更に延長することが出来ると言う効果が得られる。この様なデータ伝送の質の向上を図りつつ距離を延長可能とさせる効果により、▲１▼現実にセンタシステムとスクリーン間が比較的遠くに離れている場合であっても、コントローラをセンタシステム側に配置する本発明に係る装置構成の適用を容易化することとなるし、あるいは、▲２▼センタシステム及びコントローラを臨機応変にスクリーンからより遠方に離すことが可能になると言うメリットが期待される。
【００４５】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【００４６】
例えば、図２及び図８においては、縦方向に配列したｍ個の画像表示ユニット３０２から成るｎ個のユニットモジュール３０１を水平方向に配列しているが、この配置を逆転させても良い。即ち、水平方向に配列したｍ個の画像表示ユニットから成るｎ個のユニットモジュールを縦方向に配列し、ｊ個のＳＤＩ受信回路を縦方向に配置することとしても、同様の作用・効果が得られることは、勿論である。
【００４７】
あるいは、各ＳＤＩ受信回路２０８にｋ本のフラットケーブルを介して接続されるユニットモジュール３０１の数ｋを、各ＳＤＩ受信回路２０８毎に同一に設定する必要性は無く、ユニットモジュール３０１の数ｋを各ＳＤＩ受信回路２０８毎に代える、あるいは、幾つかのＳＤＩ受信回路２０８に関してはユニットモジュール３０１の数ｋを同一に設定する様に構成しても良い。この場合には、ユニットモジュール３０１の数ｋはユニットモジュール３０１の総数ｎよりも小さく、ｎ＝Σｋの関係が成立すれば良い。
【００４８】
【発明の効果】
請求項１記載の発明によれば、センタシステム側のコントローラと、同コントローラから遠方に離れたスクリーンとの間のデータ伝送を、ＳＤＩ送信回路とＳＤＩ受信回路を用いたＳＤＩ伝送により実現しているので、▲１▼スクリーン内のｋ個のユニットモジュールとそれらに対応するＳＤＩ受信回路との間のケーブル配線数をｋ本に抑制することが可能となり、その結果、スクリーン側でのケーブルの嵩張りによるケーブル配線の困難性を解消することが出来ると言う効果が得られる。しかも、本発明によれば、▲２▼コントローラ内のＳＤＩ送信回路とＳＤＩ受信回路間を結ぶ同軸ケーブル等のケーブルの本数をｊ本に抑制出来るので、図９に例示した従来の装置と比較して、コントローラとスクリーン間の映像データ伝送をより少ないケーブル数で以ってより高速に且つより安価で行うことが可能となると言う効果も得られる。しかも、▲３▼コントローラをセンタシステム側に設けることが出来るので、ＬＡＮ接続を用いることなく（従って、ＬＡＮカードを含むパーソナルコンピュータの設置が不要となり）、センタシステム及びコントローラとスクリーン間を同軸ケーブル等で接続することが出来、これによりコントローラとスクリーン間の距離を長く設定することが可能となるので、センタシステムから遠方にスクリーンを配置しなければならないケースに好適に対応出来る。
【００４９】
請求項２記載の発明によれば、ＳＤＩ送信回路とＳＤＩ受信回路間に光送信回路と光受信回路とを介在させているので、センタシステム側に配置されたコントローラとスクリーン間の距離を飛躍的に長くすることが出来ると言う効果が得られる。
【００５０】
請求項３記載の発明によれば、ＬＡＮ接続を用いること無くコントローラをスクリーンから遠方に離すことが出来るので、コントローラとスクリーン間の映像データ伝送速度の向上を図り得ると共に、スクリーン側におけるケーブルの嵩張りを抑えてケーブル配線を容易化することが出来ると言う効果を奏する。
【図面の簡単な説明】
【図１】本発明に係る大型映像装置の構成の特徴と、従来技術に係る大型映像装置の構成の特徴とを比較するブロック図である。
【図２】本発明の実施の形態１に係る大型映像装置の構成を示すブロック図である。
【図３】スクリーンの構成の概要を模式的に示す図である。
【図４】画像表示ユニットの内部構成を模式的に示すブロック図である。
【図５】８ビットのデジタル映像データをＳＤＩで伝送する方法を示すフローチャートである。
【図６】ＳＤＩ送信回路の内部構成を模式的に示すブロック図である。
【図７】ＳＤＩ受信回路の内部構成を模式的に示すブロック図である。
【図８】本発明の実施の形態２に係る大型映像装置の構成を示すブロック図である。
【図９】本願出願人の社内製品に係る従来の大型映像装置の構成を示すブロック図である。
【符号の説明】
１００　センタシステム、１０１〜１０３　信号源、１０４　オペレータ制御部、１０５　センタ通信制御部、１０６　センタＬＡＮカード、２００　コントローラ、２０１　デコーダ、２０２　画像制御部、２０３　ローカル通信制御部、２０４　映像切換部、２０５　映像メモリ、２０６　コマンド解析部、２０７ＳＤＩ送信回路、２０８　ＳＤＩ受信回路、２０９　光送信回路、２１０　光受信回路、２１１　ローカルＬＡＮカード、２１２　映像データ送出回路、２２０　８ビットデータ入力回路、２２１　１０ビット化演算回路、２２２　ＳＤＩドライバＩＣ、２２３　送信タイミング生成部、２２４　ＳＤＩ送信制御部、２２５　ＳＤＩレシーバＩＣ、２２６　８ビット化演算回路、２２７　８ビットデータ出力回路、２２８　ＳＤＩ受信制御部、３００　スクリーン、３０１　ユニットモジュール、３０２　画像表示ユニット、３０３　ＬＥＤモジュール、３１０　ユニットデータ受信部、３１１　ユニット通信部、３１２　ユニット制御部、３１３　ユニット駆動部、３１４　ユニットメモリ、３１５　発光素子、Ｌ１同軸ケーブル、Ｌ２　通信ケーブル、Ｌ３　光ケーブル、Ｌ４　フラットケーブル、Ｌ５　ＬＡＮ用多芯ケーブル。
【図１】
2004056614.tif 000003
【図２】
2004056614.tif 000004
【図３】
2004056614.tif 000005
【図４】
2004056614.tif 000006
【図５】
2004056614.tif 000007
【図６】
2004056614.tif 000008
【図７】
2004056614.tif 000009
【図８】
2004056614.tif 000010
【図９】
2004056614.tif 000011